(57)【特許請求の範囲】
【請求項１】
アクセスポイントを含む無線ローカルエリアネットワーク内の移動端末の電力消費を最小化するための方法であって：
移動端末のスリープ期間が終了すると、前記移動端末がブロードキャストコントロールチャネル（ＢＣＣＨ）が保留データ標識を含むか否かを決定する過程と；
前記ＢＣＣＨが保留データ標識を含んでいないときに、前記移動端末がスリープ状態に入る過程と；
前記ＢＣＣＨが保留データ標識を含んでいるときに、前記移動端末がアクセスポイントによってネットワーク内に送信される媒体アクセス制御（ＭＡＣ）フレームのフレーム制御チャネル（ＦＣＣＨ）が、前記移動端末のＭＡＣ識別（ＭＡＣ−ＩＤ）と同一のＭＡＣ−ＩＤを有するウェイクアップ情報を含むか否かを決定するために、前記ＦＣＣＨの監視を行う過程と；
前記ＦＣＣＨが前記移動端末に対応するＭＡＣ−ＩＤを有するウェイクアップ情報を含んでいるときに、前記移動端末がデータを受け取るためにアクティブ状態に留まる過程と；
前記ＦＣＣＨが前記移動端末に対応するＭＡＣ−ＩＤを有するウェイクアップ情報を含んでいないときに、前記監視を行う過程の結論に応答して、前記移動端末がスリープ状態に入る過程とを有することを特徴とする方法。
【請求項２】
さらに：
前記ＦＣＣＨ内のウェイクアップ情報がＭＡＣ−ＩＤに従って順序設定されているか否かを決定する過程；および、
前記ウェイクアップ情報が前記移動端末に対応するＭＡＣ−ＩＤを含むまで、もしくは前記移動端末が、前記移動端末のＭＡＣ−ＩＤの値および前記ＦＣＣＨ内における前記ウェイクアップ情報の順序に基づいて、前記ＦＣＣＨ内の残りのウェイクアップ情報に前記移動端末に対応するＭＡＣ−ＩＤが含まれることがあり得ないと決定するまで、前記ＦＣＣＨ内のウェイクアップ情報の監視を行う過程を有することを特徴とする前記請求項１に記載の方法。
【請求項３】
前記移動端末が前記ウェイクアップ情報の監視を行う間に復号化誤りがあった場合に、さらに：
前記ＭＡＣ−ＩＤの値および前記ＦＣＣＨ内における前記ウェイクアップ情報の順序に基づいて、前記ＦＣＣＨ内の残りのウェイクアップ情報から、前記移動端末のＭＡＣ−ＩＤが除外されるか否かを決定する過程；および、
前記ＦＣＣＨ内の残りのウェイクアップ情報から、前記移動端末のＭＡＣ−ＩＤが除外されるとき、前記移動端末がスリープに入ることを妨げる過程；
を有することを特徴とする前記請求項２に記載の方法。
【請求項４】
前記ＦＣＣＨ内の前記ウェイクアップ情報は、ＭＡＣ−ＩＤを含み、かつＭＡＣフレーム内のいずれの下り線チャネルが、前記ＭＡＣ−ＩＤによって識別される移動端末用の下り線データを含むことになるかを示すことを特徴とする前記請求項１に記載の方法。
【請求項５】
前記ＦＣＣＨ内の前記ウェイクアップ情報は、前記移動端末に、前記アクセスポイントに対する、所定の肯定応答信号の返信を指示し；かつ、前記ＦＣＣＨ内の前記ウェイクアップ情報は、前記ＭＡＣフレーム内の割り当て済み上り線チャネルを識別し、それを介して前記移動端末が、前記所定の肯定応答信号を送信することを特徴とする前記請求項１に記載の方法。
【請求項６】
前記ＦＣＣＨ内の前記ウェイクアップ情報は、前記移動端末に、前記ＭＡＣフレーム内、もしくはその後に続くＭＡＣフレーム内のランダムアクセスチャネル（ＲＡＣＨ）、または前記ＲＡＣＨが最初に使用可能になったときのそれを介した、所定の肯定応答信号の返信を指示することを特徴とする前記請求項５に記載の方法。
【請求項７】
前記ＦＣＣＨ内の前記ウェイクアップ情報は、前記移動端末に、前記ＭＡＣフレームが前記移動端末用の下り線データを含まないことを示し、かつ前記移動端末に対して、その後に通知を行うまで、ウェイク状態を維持し、かつ、ともに到来する各ＦＣＣＨおよびブロードキャストコントロールチャネル（ＢＣＣＨ）の復号化を行うべく指示することを特徴とする前記請求項１に記載の方法。
【請求項８】
前記ローカルエリアネットワークは、複数の移動端末を有し、さらに：
前記移動端末のＭＡＣ−ＩＤに基づいて前記移動端末をスリープグループにグループ化する過程であって、前記移動端末のそれぞれは、前記移動端末のＭＡＣ−ＩＤの最下位ビットに基づいて２つのスリープグループの１つに割り当てられるものとする過程と；
前記アクセスポイントが、移動端末のスリープグループのうちのいずれが前記ＦＣＣＨの監視を行うためにウェイクアップするかを決定する過程と；
前記アクセスポイントが、前記ＦＣＣＨの監視を行うためにウェイクアップする移動端末に関するウェイクアップ情報だけを含ませる過程と；
を有することを特徴とする前記請求項１に記載の方法。
【請求項９】
前記ウェイクアップ情報は、前記ＦＣＣＨの先頭に位置決定される情報を含み、前記ＦＣＣＨの先頭に位置決定される前記情報は、前記ＭＡＣフレーム内のスローブロードキャストチャネル（ＳＢＣＨ）の位置の表示を含むことを特徴とする前記請求項１に記載の方法。
【請求項１０】
さらに：
前記ＦＣＣＨの監視を行う過程の間であり、かつ前記ＳＢＣＨの位置を決定するための前記ＦＣＣＨの先頭に位置決定される前記情報の評価の後に、前記移動端末に対応するＭＡＣ−ＩＤを有するウェイクアップ情報を前記ＦＣＣＨが含んでいないことを決定する過程；および、
前記移動端末が、前記ＳＢＣＨの前記位置においてウェイクアップする過程；および、
前記ＳＢＣＨ内においてウェイクアップ情報が順序設定されている場合には、前記移動端末がウェイクアップする前記ＳＢＣＨの位置において開始するウェイクアップ情報の監視を、前記ウェイクアップ情報が前記移動端末のＭＡＣ−ＩＤに対応するＭＡＣ−ＩＤを含むまで、もしくは前記移動端末が、前記ＭＡＣ−ＩＤの値および前記ＳＢＣＨ内における前記ウェイクアップ情報の順序に基づいて、前記ＳＢＣＨ内に残されているウェイクアップ情報に前記移動端末に対応するＭＡＣ−ＩＤが含まれることがあり得ないと決定するまで行う過程；
を有することを特徴とする前記請求項９に記載の方法。
【請求項１１】
さらに：
前記ＦＣＣＨの監視を行う過程の間であり、かつ前記ＳＢＣＨの位置を決定するための前記ＦＣＣＨの先頭に位置決定される前記情報の評価の後に、前記移動端末に対応するＭＡＣ−ＩＤを有するウェイクアップ情報を前記ＦＣＣＨが含んでいないことを決定する過程；および、
前記移動端末が、前記ＳＢＣＨの前記位置においてウェイクアップする過程；および、
前記ＳＢＣＨ内においてウェイクアップ情報が順序設定されている場合には、前記移動端末がウェイクアップする前記ＳＢＣＨの位置において開始するウェイクアップ情報の監視を、前記ウェイクアップ情報が前記移動端末のＭＡＣ−ＩＤに対応するＭＡＣ−ＩＤを含むまで、もしくは前記移動端末が、前記ＭＡＣ−ＩＤの値および前記ＳＢＣＨ内における前記ウェイクアップ情報の順序に基づいて、前記ＳＢＣＨ内に残されているウェイクアップ情報に前記移動端末に対応するＭＡＣ−ＩＤが含まれることがあり得ないと決定するまで行う過程；
を有することを特徴とする前記請求項９に記載の方法。
【請求項１２】
前記ウェイクアップ情報は、さらに、前記ＦＣＣＨの先頭にある情報の直後に位置決定される少なくとも１つのウェイクアップ情報エレメント（ＩＥ）であって、それぞれがＭＡＣ−ＩＤを含む少なくとも１つのウェイクアップＩＥを含み；かつ、
前記移動端末において、前記監視を行う過程の間に、前記少なくとも１つのウェイクアップＩＥが前記移動端末に対応するＭＡＣ−ＩＤを含まないと決定されたとき、前記ＦＣＣＨは、前記移動端末に対応するＭＡＣ−ＩＤを有するウェイクアップ情報を含まないと決定する過程；
を有することを特徴とする前記請求項９に記載の方法。
【発明の詳細な説明】
【０００１】
（技術分野）
本発明は、概して無線ローカルエリアネットワーク（ＬＡＮ）通信の分野に関し、特に、ＬＡＮ内にある移動端末のスリープ状態の設定ならびに調整に関する。
【０００２】
（発明の背景）
高スループットを有するＬＡＮサービスのための次世代の新しい標準、ＥＴＳＩ  ＨＩＰＥＲＬＡＮ（ＥＴＳＩハイパーラン）タイプ２は、現存するアプリケーションおよび新しいアプリケーションに対してともに新しい機会を確約する。提案されているＥＴＳＩ  ＨＩＰＥＲＬＡＮ（ＥＴＳＩハイパーラン）タイプ２標準の現在のバージョンおよびその承認されている部分は、参照を通じて本件出願に採り入れられている。ＨＩＰＥＲＬＡＮ（ハイパーラン）タイプ２  ＬＡＮネットワークは、時分割デュープレックス（ＴＤＤ）エアリンクを使用しており、これは、ＬＡＮネットワーク内にあるアクセスポイント（ＡＰ）および移動端末（ＭＴ）がともに同一の無線周波数を使用して互いに通信を行うことを意味する。ＡＰは、オペレータのイントラネット等のネットワーク（ＮＷ）に接続されており、ＭＴは、ほとんどの場合、パーソナルコンピュータ（ＰＣ）に対する無線ネットワークインターフェースカード（ＮＩＣ）になる。
【０００３】
図１は、一例のＨＩＰＥＲＬＡＮ（ハイパーラン）タイプ２システムの構成例を示しており、セル１０２内にＡＰ  １０４が含まれている。さらに、このセル１０２内には、ＭＴ  １０６、１０８および１１０が含まれている。図１に示されるように、ＡＰ  １０４は、無線ＴＤＤエアリンク１１２を介して、たとえばＭＴ  １１０と通信を行うことができる。各セル内においては、そのセル用のＡＰが最良の周波数を選択し、それを用いて当該セル内の１ないしは複数のＭＴとの通信が行なわれる。ＡＰによる周波数選択は、たとえば当該ＡＰによる、他の周波数との干渉の測定をはじめ、セル内のＭＴによる測定を基礎として行うことができる。
【０００４】
提案されているＨＩＰＥＲＬＡＮ（ハイパーラン）タイプ２  無線ＬＡＮ標準においては、無線ＬＡＮシステムが媒体アクセス制御（ＭＡＣ）レイヤを含み、それが予約ベースのＭＡＣレイヤとして実装される。図２は、一例のＭＡＣフレーム構造を有するＭＡＣデータフレーム２００を例示しており、このフレームには、ブロードキャスト制御チャネル（ＢＣＣＨ）２０２、フレーム制御チャネル（ＦＣＣＨ）２０４、下り線チャネル（ＤＬＣＨＡＮ）２０６、上り線チャネル（ＵＬＣＨＡＮ）２０８、およびランダムアクセスチャネル（ＲＡＣＨ）２１０が含まれる。図２に示されるように、ＤＬＣＨＡＮ  ２０６とＵＬＣＨＡＮ  ２０８の間の境界だけでなく、ＵＬＣＨＡＮ  ２０８とＲＡＣＨ  ２１０の間の境界が、トラフィックの要求に応じて変更可能になっている。ＭＴ  １１０が認証され、ＭＴ  １１０とＡＰ  １０４の間における通信が開設された場合を考えると、ＡＰ  １０４を経由して上り線（ＵＬ）データを送信するために、ＭＴ  １１０は、ランダムアクセスの機会の発生に関してＢＣＣＨ  ２０２およびＦＣＣＨ  ２０４をモニタする。その後は、ＭＴ  １１０が、ＲＡＣＨ  ２１０を介して上り線リソースを要求することが可能になり、ＡＰ  １０４は、この上り線リソースの要求を承認し、かつＭＴ  １１０よる使用のためのＴＤＤエアリンク１１２内のＵＬリソースのスケジュールを開始する。言い換えると、ＭＴ  １１０が、上り線リソースを要求したとき、予約ベースのアクセスが開始する。
【０００５】
ＡＰ  １０４が、ＭＴ  １１０用の下り線（ＤＬ）データをネットワーク（ＮＷ）から受け取ると、ＡＰ  １０４は、ＭＴ  １１０がスリープしている場合には当該データをバッファしてＭＴ  １１０に対するデータの送信を延期するか、あるいは次の可能な機会に、ＭＴ  １１０に対してＤＬデータを送信する。ＡＰ  １０４は、ＭＴ  １１０（および／またはセル１０２内の他のＭＴ）用のデータを有していることを、ＢＣＣＨ  ２０２に続くＦＣＣＨ  ２０４内に、ＭＴ  １１０のＭＡＣ−ＩＤおよびデータリンク制御チャネルＩＤ（ＤＬＣＣ−ＩＤ）を伴う、フレーム２００と同じフォーマットを有するフレームをブロードキャストすることによって通知する。この状況においては、ＦＣＣＨ  ２０４もまた、フレーム２００のＤＬＣＨＡＮ  ２０６内に、ＭＴ  １１０用のデータの正確な位置を含んでいる。ＭＡＣ−ＩＤを有するＭＴは、複数のＤＬＣＣ−ＩＤを有することができる。
【０００６】
ＭＴが、バッテリ等の有限ソースから電源供給されることは珍しくなく、そのためＨＩＰＥＲＬＡＮ（ハイパーラン）タイプ２標準は、ＭＴによるエネルギ使用を抑えるためにＭＴのスリープモードを規定している。このスリープモードの概略を図３に示す。図３に示されるように、最初の過程３０２において、ＭＴがスリープ要求信号を送るが、それにはスリープ間隔をどの程度の長さにするべきかということ、言い換えるとスリープの持続時間に関するＭＴからの提案をＡＰに送ることができる。ＡＰは、このスリープ要求信号を受け入れ、開始時刻ならびにスリープ持続時間を決定し、続いて過程３０４において、ＭＴがスリープモードに入る開始時刻、およびスリープ持続時間、すなわちＭＴが「ウェイクアップ」して、そのＭＴ用に保留されているＤＬデータの発生に関してＡＰからのＭＡＣフレームのＢＣＣＨをモニタするまで、ＭＴがスリープを続ける時間を示すスリープ予約信号をそのＭＴに送信する。スリープ持続時間は、たとえば適当な数のＭＡＣフレームとすることができる。過程３０６においてＭＴは、スリープモードに入り、その後、過程３０８においてスリープ持続時間が終了すると、ＭＴがウェイクアップし、そのＭＴ用に保留されているＤＬデータの表示に関してＢＣＣＨをモニタする。ＤＬデータが保留されているときには、ＡＰがＢＣＣＨを介してＭＴに通知を行い、ＭＴに対するＤＬデータのダウンロードをスケジュールする。それに代えて、不必要なエアリンクの使用を回避するためにデータのスケジューリングに先行してＭＴに対するポーリングを行う方法、あるいはスリープコンセプトの堅牢性のために、データの送信に先行してＡＰがＭＴに対するポーリングを行い、ＭＴがスリープ状態から移行し、データを受信する準備が整っていることを確認する方法を採用することもできる。
【０００７】
詳細を述べれば、ＭＴが、その時点においては未決定の、つまり宛先がまだわからないＭＴ用に保留されている下り線データがＡＰにあることを示す保留データ標識等の信号を含むＢＣＣＨを認識すると、そのＭＴは、続いてそのＭＴに向けられた専用のウェイクアップＰＤＵに関してＭＡＣフレーム内のスローブロードキャストチャネル（ＳＢＣＨ）の内容を分析する。ＭＡＣフレーム内のＳＢＣＨの位置は、ＦＣＣＨ内の情報エレメント（ＩＥ）によって与えられる。言い換えると、ＭＴは、さらにチェックを行い、そのＭＴのためにデータが保留されているか否か（もしくはデータが保留されている複数のＭＴの１つに該当するか否か）を決定することになる。いずれのＭＴ用にも保留されている下り線データが存在しない場合には、ＭＴは、スリープモードに戻って次のスリープ持続時間を開始し、それが終了すると、保留データ標識に関するＢＣＣＨの監視等を行うサイクルを繰り返す。保留データ標識が存在しない場合、もしくは標識によって下り線データが保留されていないことが示された場合には、そのＭＴはスリープモードに戻る。
【０００８】
図４は、専用ウェイクアップＰＤＵに関してＭＴがＭＡＣフレーム内のＳＢＣＨを分析するケースを示す。図４に示されるように、時点４２０において、あるＭＴのスリープ時間が終了すると、そのＭＴは、まずＢＣＣＨ  ４１０をチェックし、そのＢＣＣＨ  ４１０に、ＭＡＣフレーム４０６がいずれかのＭＴ用のデータを含んでいることを示す保留データ標識が収められているか否かを決定する。この保留データ標識は、データの存在を示すことはあっても、そのデータがいずれのＭＴに意図されたものであるかを示すことはない。ＢＣＣＨ  ４１０内の保留データ標識が、その時点においては未指定の、つまり宛先がまだ指定されていないＭＴ用のデータをＭＡＣフレーム４０６が含んでいることを示す場合に、ＭＴは、ＭＡＣフレーム４０６がそのＭＴ用のデータを含んでいるか否かを決定する。これは、ＭＡＣフレーム内のどこからＳＢＣＨ  ４１８が始まるかについてＦＣＣＨ  ４１２を分析することによってなされる。たとえば、ＦＣＣＨ  ４１２に、ＳＢＣＨ  ４１８がどこから始まるかを示すあらかじめ定義済みの情報エレメント（ＩＥ）４１４を含ませることができる。このあらかじめ定義済みのＩＥ  ４１４は、たとえば、ＭＡＣ識別（ＭＡＣ−ＩＤ）＝０および下り線制御チャネル識別（ＤＬＣＣ−ＩＤ）＝０を含むように定義することができる。
【０００９】
ＳＢＣＨは、ＭＡＣフレーム４０６のＤＬＣＨＡＮ内に位置決定されている。ＤＬＣＨＡＮは、ＳＢＣＨを含めて複数の論理チャネルを包含またはホストすることができる。これらのチャネルには、たとえば、ユーザデータチャネル（ＵＤＣ）、ＤＬＣ制御チャネル（ＤＬＣＨ）（これにおいてＤＬＣは、「データリンク制御」を表す）、専用制御チャネル（ＤＣＣＨ）、イン‐バンドチャネル（ＩＢＣＨ）、および前述のスローブロードキャストチャネル（ＳＢＣＨ）を含ませることができる。
【００１０】
続いてＭＴは、ＳＢＣＨ  ４１８を分析して、ＳＢＣＨ  ４１８が、そのＭＴのＭＡＣ−ＩＤを含むウェイクアップＰＤＵを含んでいるか否かを決定する。それを含んでいれば、ＭＴが、それ用に下り線データが保留されていることを認識することになり、そのＭＴは、下り線データを受信するべくアクティブ状態のままとどまる。含んでいなければ、ＭＴは、それ用に下り線データが保留されていないことを認識し、ＡＰに対する通知を伴わずに自動的にスリープモードに戻る。
【００１１】
ＭＴがＡＰに対して送信するための保留された上り線データを有している場合に、ＭＴは、スリープ持続時間タイマを停止し、あるいは時限を短縮して、たとえばＭＡＣフレーム２００のＲＡＣＨ  ２１０上において上り線リソース要求信号を送信することによって、ＡＰからの上り線リソースを要求する。
【００１２】
しかしながら、これらの方法には、いくつかの欠点がある。第１に、ＭＡＣフレーム内のＳＢＣＨの位置を示すあらかじめ定義済みのＰＤＵの発生についてＭＴがＢＣＣＨを分析した第１の時点と、それにそのＭＴのＭＡＣ−ＩＤを含むウェイクアップＰＤＵが含まれているか否かを決定するために、ＭＡＣフレーム内におけるＳＢＣＨの発生をＭＴが待機する第２の時点、もしくはＭＡＣフレーム内においてＳＢＣＨが開始する第２の時点の間においては、ＭＴの関心がＭＡＣフレームにない。この時間を最短にできるＦＣＣＨの直後にＳＢＣＨが位置決定されることもあり得るが、ＭＡＣフレーム内のほかの任意の場所にＳＢＣＨが位置決定されることもあり得る。さらに、ＭＴが設定し得るスリープレベル、つまり低消費電力のレベルは、一般に多様である。もっとも低いレベルにおいては、ＭＴのアナログ部分およびディジタル部分がともに最低消費電力モードとなる。しかしながら、当業者であれば気付かれようが、その種の深いスリープからＭＴがウェイクアップする時点においてＭＴは、ウェイクアップに比較的長時間を必要とすることになる。これは、たとえば、ＭＴのアナログ部分に含まれる電圧制御発振器（ＶＣＯ）および位相ロックループ（ＰＬＬ）が同期の時間を必要とすることによる。したがって、理想的には、第１の時点と第２の時点の間に、ＭＴを深いスリープに戻すべきであるが、その間の時間が、ＭＴが深いスリープに入り、その後、再度ウェイクアップするために必要な時間より短いと、その間にＭＴは、深いスリープに入ることができない。そのため、ＳＢＣＨがＦＣＣＨの直後に位置決定されていなければ、ＭＴに必要な電力がＭＡＣフレームの時間にわたって増加することになる。
【００１３】
さらに、ＡＰからＭＴに対して同一のＭＡＣフレーム内における肯定応答の送信、すなわちそれがＳＢＣＨ内のウェイクアップＰＤＵを受信し、識別してウェイク状態を維持しているＭＡＣフレーム内において肯定応答の送信を要求する場合には、ＭＴに、ウェイクアップＰＤＵに対する応答および肯定応答の送信の準備のために可能な限りの時間を提供できるように、ＳＢＣＨがＦＣＣＨの直後に位置決定されている必要がある。しかしながら、前述したようにＳＢＣＨが、ＭＡＣフレームに含まれるＤＬＣＨＡＮ内において恣意的に位置決定されることがあり得る。
【００１４】
それに加えて、ＡＰが、そのセル内においてＭＴを各種のスリープグループに系統化し、各グループのウェイクアップが異なる状況においては、あるグループに含まれるＭＴが１つだけであった場合に、より多くのＭＴを含むグループに比較して、ＳＢＣＨ内の必要なプリアンブルが比較的大きくなり、過剰なオーバーヘッドを呈することになる。
【００１５】
スリープグループに関して、非アクティブのＭＴ、言い換えると上り線もしくは下り線で送信されるデータをまったく伴わずにスリープモードにあるＭＴの場合、そのＭＴにおけるＷＬＡＮデバイスのための消費電力には、非アクティブ期間内に消費される電力に加えて、スリープ期間または持続時間の終了時において、そのＭＴ用に保留されている下り線データの発生を検出するために、そのＭＴがＭＡＣフレームのＢＣＣＨ、ＦＣＣＨ、およびＳＢＣＨをモニタするための時間にわたって消費する電力が含まれる。ＡＰが、ＭＴがスリープモードを開始する時点を決定することから、ＡＰは、そのセル内のＭＴを異なるスリープグループに割り当てることができる。これらのグループは、同一もしくは異なる持続時間を持つことができるが、ウェイクアップの時点は異なるためにそれらは「イン‐フェーズ」ではない。これは、ＭＴにおける消費電力を抑えることができる。たとえば、グループ内のＭＴのうちの１つだけに下り線データが保留されている場合に、グループが小さければ、ＢＣＣＨ、ＦＣＣＨおよびＳＢＣＨをモニタして、保留されている下り線データがそれ自体に向けられているか否かを決定するためにウェイクアップしなければならないＭＴの数が、大きいグループより少なくなる。当然のことながら、より小さなグループ、したがってより多数のスリープグループ数は、ＡＰにおいて追加のオーバーヘッドおよびリソースを必要とすることになるため、これはトレードオフということになる。
【００１６】
図６は、異なるフェーズを有する各種のスリープグループにＭＴを系統化する原理を図示す。図６に示されるように、時点６１０において第１のＭＴ（ＭＴ−Ａ）が、提案スリープ期間または持続時間を含めたスリープ要求信号をＡＰに送信する。過程６１２においては、ＡＰが、この第１のＭＴ用にＡＰが選択したスリープ持続時間およびスリープ開始時刻を含むスリープ予約信号を第１のＭＴに対して送信する。スリープ開始時刻は、オフセットの形式、たとえば第１のＭＴがスリープモードに入るまでに待機しなければならない現在のＭＡＣフレームの後からカウントしたＭＡＣフレーム数とすることができる。過程６１４においては、第２のＭＴ（ＭＴ−Ｂ）が、提案スリープ期間または持続時間を含めたスリープ要求信号をＡＰに送信する。過程６１６においては、ＡＰが、この第２のＭＴ用にＡＰが選択したスリープ持続時間およびスリープ開始時刻を含むスリープ予約信号を第２のＭＴに対して送信する。その後、第１のＭＴが、ＡＰによって指定された時刻に、過程６１８においてスリープモードに入り、続いて第２のＭＴが、ＡＰによって指定された別の時刻に、過程６２０においてスリープモードに入る。ＡＰは、たとえばすでに存在しているＭＴのスリープグループに対してＭＴの追加を行うために、スリープ開始時刻を選択することもできる。過程６２２においては、第１のＭＴのスリープ持続時間が終了して第１のＭＴがウェイクアップし、保留されている下り線データの表示に関してＢＣＣＨの監視を行い、それ用に意図された保留されている下り線データの有無を決定する。第１のＭＴ用に保留されている下り線データが存在しなければ、過程６２２においてスリープモードに戻り、スリープ持続時間をリスタートし、さらに過程６２６においてそのスリープ持続時間が終了するとウェイクアップし、新たなサイクルを開始する。過程６２２と６２６の間の過程６２４においては、第２のＭＴのスリープ持続時間が終了し、第２のＭＴが、第１のＭＴに関して説明した態様と同様にしてＢＣＣＨの監視を行い、同様の過程をたどる。
【００１７】
この方法は、いくつかの利点もあるが、欠点となる可能性を持った特定の特徴もいくつか有している。たとえば、ＡＰが、各種のスリープグループの間にＭＴを最適に分散させるために必要とするリソースは、各ＭＴの内容情報、各ＭＴ用のバッファストレージ、および各ＭＴのスリープ持続時間が終了する時期についての知識を必要とすることがある。またたとえば、各ＭＴのスリープ状態ＩＤまたはスリープグループＩＤを認識するために、スリープ持続時間タイマが必要になることもある。
【００１８】
したがってＡＰが、ＭＴのフリートをより小さいセットのスリープグループまたはフェーズに分割する可能性がある。しかも、ほかのＭＴとともに、あるフェーズに属しているＭＴが、保留されている下り線データに関してＭＡＣフレームをモニタするためにウェイクアップする場合のほとんどにおいては、そのＭＴが、それに対して意図された下り線データはなく、それがスリープ状態またはスリープグループ内の別のＭＴに意図されていることを知ることになる。
【００１９】
ＳＢＣＨが、あらかじめ定義済みの構造を有していないことから、ＭＴは、ＳＢＣＨ内に含まれる各ＰＤＵの分析または監視を行わなければならない。それに加えて、ＭＴがＢＣＣＨ、ＦＣＣＨ、およびＳＢＣＨの監視を行う間にデコーディング誤りが生じると、それによって、そのＭＴ用に保留されている下り線データを認識できなくなる可能性があることから、ＭＴのスリープに関する問題がもたらされることがある。ＭＴの振る舞いに応じて、この効果が多様化する可能性がある。たとえば、ＭＴが、それ用に下り線データが保留されている場合を考慮して、デコーディング誤りがあるごとにウェイクアップを続けるとすれば、ＭＴは不必要な頻度でウェイクアップすることになり、その結果、過剰な電力を消費することになる。またＭＴが、可能性のあるデコーディング誤りを無視する場合には、それ用に保留されている下り線データの受信に関する応答が遅くなる可能性がある。たとえば、保留されている下り線データに関して次にチェックするまで、全スリープ持続時間にわたって完全にスリープすることになる。
【００２０】
Ｍｏｂｉｔｅｘ（モビテックス）およびｐＡＣＴ（パーソナルエアコミュニケーションズシステム）のシステムにおいては、移動が、ＨＩＰＥＲＬＡＮ（ハイパーラン）タイプ２のケースではない各種のスリープ状態のコンセプトを知っていなければならない。
【００２１】
（発明の要約）
本発明の一例として示した実施態様によれば、上に明示したような問題点が、ＭＡＣフレーム内のＦＣＣＨチャネルを使用して、１ないしは複数のＭＴにウェイクアップアナウンスメントを伝達することによって解決される。本発明の第２の例とする実施態様によれば、ウェイクアップアナウンスメントが、あらかじめ決定済みの応答信号を、同一ＭＡＣフレーム内のＲＡＣＨもしくは割り当て済みの上り線チャネルを介して送るべくＭＴに対して指示することが可能であり、その結果、ウェイクアップアナウンスメントがＡＰからＭＴに対するポーリング要求として機能する。
【００２２】
本発明のさらに別の例とする実施態様によれば、ＭＴ用のウェイクアップアナウンスメントが、同一ＭＡＣフレームのその後方に、そのＭＴに意図された下り線データが含まれていることを示すことができる。
【００２３】
本発明のさらに別の例とする実施態様によれば、ＭＴ用のウェイクアップアナウンスメントが、ヌル標識を含むことが可能であり、この標識は、そのＭＴ用の下り線データがこのＭＡＣフレームに含まれてなく、そのＭＴはＡＰに応答信号を送る必要がないが、それに代えて、将来提供される下り線データを待機するために、ウェイク状態を維持しなければならないことを示す。
【００２４】
本発明のさらに別の例とする実施態様によれば、各種の時間フェーズを有するスリープグループを調整するために必要なリソース、たとえば異なるＭＴのフェーズＩＤを扱うために必要なＡＰリソースが、各ＭＴのＭＡＣ−ＩＤの一部もしくは全部を使用することによって節約される。本発明の一例として示した実施態様によれば、ＦＣＣＨ内に情報エレメント（ＩＥ）を位置決定し、ＦＣＣＨの初めにおいてＤＬＣＨＡＮ内のどこからＳＢＣＨが開始するかを示すことにより、ＦＣＣＨの残りの間にわたってＭＴがスリープに戻り、ＳＢＣＨの開始時にウェイクアップすることが可能になるため、さらに電力が節約される。ウェイクアップＩＥ等のウェイクアップＰＤＵが、ＦＣＣＨ内に位置決定される例として示す本発明の実施態様によれば、ウェイクアップＩＥは、ＦＣＣＨの先頭に位置決定される。
【００２５】
ＭＡＣフレームがＳＢＣＨを含む場合には、ＤＬＣＨＡＮ内のどこにＳＢＣＨが位置決定されているかを示すＦＣＣＨ内のＩＥを、ＦＣＣＨのもっとも先頭に位置決定し、その直後にウェイクアップＰＤＵを続けることが可能であり、その結果、ＭＴは、ウェイクアップＰＤＵの監視または分析の後、それ用に下り線データが保留されているか否か、またＳＢＣＨはいつ現れるか（言い換えると、ＤＬＣＨＡＮ内のどこにＳＢＣＨが位置決定されているか）を知ることができる。
【００２６】
本発明の別の例とする実施態様によれば、ウェイクアップＰＤＵが（ＦＣＣＨまたはＳＢＣＨのいずれかの内側において）ＭＡＣ−ＩＤの昇順もしくは降順に並べられ、その結果、ＰＤＵの分析を行っているＭＴは、まだ分析を行っていない残りのＰＤＵに、そのＭＡＣ−ＩＤを有するものが含まれる可能性がなくなったことを容易に決定可能であり、分析を中止し、早期にスリープに入ることによって電力を節約することができる。
【００２７】
本発明のさらに別の例とする実施態様によれば、ＰＤＵの順序を、昇順と降順を交番させた形とすることが可能であり、それによりたとえばそれぞれのＭＴに対してより均等な機会を保証することができる。
【００２８】
本発明のさらに別の例とする実施態様によれば、ＡＰが（ＦＣＣＨまたはＳＢＣＨのいずれかの内側において）ウェイクアップＰＤＵの手前に非ウェイクアップＰＤＵを置くことが可能であり、ＭＴによってこの非ウェイクアップＰＤＵの分析が行われることを保証する。それに代えて、ＦＣＣＨ内にウェイクアップＰＤＵが含まれている場合には、ＦＣＣＨ内のウェイクアップＰＤＵの前にＳＢＣＨ−ＩＥ（ＤＬＣＨＡＮ内のＳＢＣＨの位置を示すＩＥ）を位置決定すれば、ウェイクアップＰＤＵが向けられている特定のＭＴだけでなく、すべてのＭＴがそのＳＢＣＨの内容をモニタすることになる。
【００２９】
本発明のさらに別の例とする実施態様によれば、ウェイクアップＰＤＵを（ＦＣＣＨ内もしくはＳＢＣＨ内において）ＭＡＣ−ＩＤ順に、たとえばその昇順もしくは降順に並べることが可能であり、その結果、ＭＴが復号化に失敗したが、ウェイクアップＰＤＵのシーケンスの間にリカバリできたときには、ＭＴが、看過したシーケンスの部分の中に、それのＭＡＣ−ＩＤを有するウェイクアップＰＤＵが含まれている可能性があるか否かを判断し、それに応じた動作を行うことができる。
【００３０】
本発明のさらに別の例とする実施態様によれば、ウェイクアップＰＤＵがＳＢＣＨ内に位置決定される場合には、当該ウェイクアップＰＤＵに先行してそのＳＢＣＨ内にインデクスを備えることができる。このインデクスは、ウェイクアップＰＤＵのリスト内のどこに、ＭＴの個々のＭＡＣ−ＩＤを有するウェイクアップＰＤＵが現れる可能性があるかを示す。たとえば、このインデクスは、各種の範囲のＭＡＣ−ＩＤを示すことが可能であり、その結果、ＭＴは、インデクスを分析した後にスリープに入り、その後、そのＭＴのＭＡＣ−ＩＤを含む可能性のあるウェイクアップＰＤＵのＭＡＣ−ＩＤの範囲を包含するＳＢＣＨの部分を受信するときにウェイクアップするといったことが可能になる。
【００３１】
本発明のさらに別の例とする実施態様によれば、ＭＴがＭＡＣフレームのモニタを行うためにウェイクアップしたとき、データが保留されていることの表示、たとえばＭＡＣフレームのＢＣＣＨ内の表示をそのＭＴが見つけた場合に、そのＭＴは、データが保留されていることの表示に関して、その次のＭＡＣフレームのモニタも行う。
【００３２】
本発明のこのほかの目的ならびに利点は、当業者であれば、以下の添付図面を参照した好ましい実施態様の詳細な説明から明らかなものとなろう。なお図面においては、類似の要素に類似の参照番号を用いている。
【００３３】
（発明の詳細な説明）
本発明の第１の実施態様によれば、ウェイクアップＰＤＵがＳＢＣＨ内ではなく、ＦＣＣＨ内に位置決定される。より詳細に述べると、ＭＴが、ＡＰにおいてそのＭＴ用のＤＬデータが保留されていることの表示をＢＣＣＨが含んでいることを認識すると、そのＭＴは、情報エレメント（ＩＥ）またはそのＭＴ用に下り線データがスケジュールもしくは保留されていることを示すウェイクアップＰＤＵに関してＭＡＣフレーム内のＦＣＣＨの内容を分析する。下り線データは、そのＭＴに関する制御データ、および／またはそのＭＴに関するエンド‐ユーザアプリケーションデータとすることができる。
【００３４】
図５は、ＭＴが、そのＭＴのＭＡＣ−ＩＤを有する、つまりそのＭＴ用に下り線データが保留されていることを示す情報エレメント（ＩＥ）に関してＭＡＣフレーム内のＦＣＣＨの内容を分析するケースを示す。図５に示されるように、時点５２０において、ＭＴのスリープ時間が終了すると、そのＭＴは、まずＢＣＣＨ  ５１０を調べて、ＢＣＣＨ  ５１０が、図４に関して説明したような保留データ標識を含んでいるか否か、つまりＭＡＣフレーム５０６が任意のＭＴ用のデータを包含していることを示す保留データ標識を含んでいるか否かを決定する。ＢＣＣＨ  ５１０内の保留データ標識が、この時点においてはまだ未指定のＭＴ用のデータをＭＡＣフレーム５０６が含んでいることを示していれば、このＭＴは、それ用のデータをＭＡＣフレーム５０６が含んでいるか否かの決定を試みる。これは、ＦＣＣＨ  ５１２を分析して、ウェイクアップＩＥ  ５１４等の、そのＭＴのＭＡＣ−ＩＤを含むウェイクアップアナウンスメントＰＤＵをＦＣＣＨ  ５１２が含むか否かを決定することによって行なわれる。それが含まれている場合には、ＭＴは、それ用の保留された下り線データがあることを認識し、保留されている下り線データを受信するためにアクティブ状態のまま（言い換えるとウェイク状態のまま）を維持する。それが含まれていなければ、ＭＴは、それ用の保留された下り線データがないことを認識し、ＡＰに通知を行うことなく自動的にスリープモードに再入する。
【００３５】
フレーム内においてデータがスケジュールされている場合には、ＦＣＣＨが必ずＭＡＣフレーム内に存在することから、ＡＰが、スリープするＭＴを各種のグループに分ける場合にも余剰のコストが発生しない。たとえば、１つのスリープ中のＭＴをウェイクアップさせるためには、ＦＣＣＨ内にそのＭＴのＭＡＣ−ＩＤを担持するＩＥを１つ含ませればよく、２つのスリープ中のＭＴをウェイクアップさせるのであれば、ＦＣＣＨ内に２つのＩＥが必要になるという形になる。したがって、ＳＢＣＨのプリアンブルに関連するようなオーバーヘッドは回避される。
【００３６】
さらに、特定のスリープ中のＭＴに関するＩＥまたはウェイクアップＰＤＵは、単純に、そのＭＴがウェイクしていた場合に、つまり換言するとアクティブであった場合に、それに対して信号を送るために使用されるＩＥと同一にすることが可能であり、これは、アクティブになっているＭＴのためのＩＥもまた、そのＭＴ用のＭＡＣ−ＩＤを含み、かつＭＡＣフレーム内のいずれの下り線チャネルにおいて、そのＭＴが受け取るためにスケジュールされた下り線データを、そのＭＴが見つけることができるかということを示すことによる。
【００３７】
ＩＥまたはウェイクアップＰＤＵは、ＭＴに対して、ＭＡＣフレーム内の割り当て済みの上り線チャネル内において、あらかじめ決定済みの肯定応答信号を、そのＭＴからＡＰに返すことを示すタイプのものとすることも可能であり、ＩＥは、ＡＰがそのＭＴ用に予約した割り当て済みの上り線チャネルを識別する。つまり、ＩＥを、ＡＰからＭＴへのポーリング要求として使用することができる。それに代えてＩＥは、ＭＴに対して、同一のＭＡＣフレーム内のＲＡＣＨを介して、あるいはその後に続くＭＡＣフレーム内において、次にＲＡＣＨが使用可能になったときにあらかじめ決定済みの肯定応答信号をＡＰに返すべく指示することもできる。ＭＡＣフレーム内においては、ＳＢＣＨよりＦＣＣＨの方が先に位置決定されることから、ＳＢＣＨに代えてＦＣＣＨ内のＩＥを位置決定することは、ＭＴに、ウェイクアップおよびあらかじめ決定済みの肯定応答信号の準備ならびに送信を行うための時間をより多く提供することになる。あらかじめ決定済みの肯定応答信号は、アクティブつまりウェイクしているＭＴに関して使用される肯定応答信号と同一とすることができる。また、このあらかじめ決定済みの肯定応答信号は、肯定応答シグナリングに関する規則セットに従って送信することもできる。この規則セットは、たとえばリソース要求および制御データに関してＡＰによるＭＴのポーリングを可能にすることによって、ＭＴに対する論理チャネルの使用方法を規制することができる。
【００３８】
さらにＩＥまたはウェイクアップＰＤＵは、ヌルポインタ、言い換えるとゼロ値にセットされたＩＥ内のポインタを含むことが可能であり、ゼロ値は、そのＭＴに対して、ＭＡＣフレームがそのＭＴ用の下り線データを含んでいないこと、およびそのＭＴは、将来においてそれに提供される下り線データを受け取るために、その後に通知を行うまで単純にウェイク状態を維持し、ともに到来するＢＣＣＨおよびＦＣＣＨの検出および復号化を行う必要があることを示す。たとえば、これによりＡＰ内のスケジューラに、そのＭＴがウェイクアップしている同一のＭＡＣフレーム内において新しいＭＴを処理する優雅な方法を提供することができる。
【００３９】
図１０は、第１の実施態様に関して上述した原理の概略を示す。図１０に示されるように、過程１０００においてこのプロセスが開始すると、過程１００２においてＭＴがスリープに入る。過程１００４においては、スリープ持続時間が終了しているか否かをＭＴがチェックする。終了していなければ、制御が過程１００４に戻る。終了しているときには、制御が過程１００６に進み、ＭＴがウェイクアップし、過程１００８においてＭＡＣフレームのＢＣＣＨの分析を行う。このＢＣＣＨが保留データ標識を含んでいないときには、制御が過程１００２に戻り、ＭＴは、ＡＰに対する通知を行うことなく、スリープに再入する。ＢＣＣＨが保留データ標識を含んでいるときには、制御が過程１００８から過程１０１０に進み、は、ＭＴがＦＣＣＨを分析し、当該ＦＣＣＨがそのＭＴと同じＭＡＣ−ＩＤを有するウェイクアップＩＥまたはＰＤＵを含んでいるか否かを決定する。それが含まれていないときには、制御が過程１００２に戻り、ＭＴがスリープに再入する。それが含まれているときには、制御が過程１０１０から過程１０１２に進み、ＭＴが、ウェイクアップＩＥまたはＰＤＵを分析して、そのＭＴにＡＰに対する肯定応答の送信が要求されているか否かを決定する。当該要求がなされているときは、制御が過程１０１４に進み、ＭＴが肯定応答を送信する。制御は、過程１０１４から過程１０１６に進み、その結果、ＭＴが、アクティブのまま、つまりウェイク状態のままを維持する。制御は、過程１０１６から過程１０２４に進み、プロセスが終了する。過程１０１２において、ＭＴが、肯定応答は要求されていないと決定すると、制御が過程１０１２から過程１０１８に進み、ＭＴが、ウェイクアップＩＥまたはＰＤＵのタイプをチェックして、ＭＡＣフレーム内にそのＭＴ用にスケジュールされた下り線データがあるか否かを決定する。それがある場合には、制御が過程１０１８から過程１０２０に進み、ＭＴが、下り線データを受信する。過程１０２０の後は、制御が過程１０１６に進む。過程１０１８において、ＭＴが、下り線データはスケジュールされていないと決定すると、制御が過程１０１８から過程１０２２に進み、ＭＴは、ウェイクアップＩＥまたはＰＤＵがヌルポインタを含むものと決定し、制御が過程１０２２から過程１０１６に進む。
【００４０】
ＡＰがＭＴを各種のスリープグループにグループ化し、たとえば各スリープグループが異なる時間にウェイクアップする、本発明の第２の実施態様によれば、ＭＴのＭＡＣ−ＩＤの一部または全部を使用してＭＴが属するスリープグループを識別することができる。たとえば、ＡＰは、ＭＡＣ−ＩＤの最下位ビットを使用してＭＴを２つのグループにグループ分けすることができる。ＭＴは、そのＭＡＣ−ＩＤに基づいて、たとえばＡＰが最初にＭＴのＭＡＣ−ＩＤを受信したときに自動的にフェーズまたはスリープグループに割り当てられることから、ある種の状況においては、各グループ内のＭＴの数が平衡しないことがある。しかしながら、各グループ内の妥当なユーザ数に基づき、かつ各ユーザの振る舞いのランダム性に基づけば、このコンセプトがＡＰに提供する単純性および効率は、グループ数が一時的に平衡を失ったときに生じ得る断続的な不利益に勝る。
【００４１】
図１１は、第２の実施態様に関して上述した原理の概略を示す。図１１に示されるように、過程１１００においてこのプロセスが開始すると、過程１１０２においてＡＰがＭＴのＭＡＣ−ＩＤを調べる。制御は、過程１１０２から過程１１０４に進み、ＡＰが、ＭＴのＭＡＣ−ＩＤに基づいてスリープまたはフェーズグループをそのＭＴに割り当てる。制御は、過程１１０４から過程１１０６に進み、このプロセスが終了する。
【００４２】
それぞれのＭＴに期待されているサービスの品質または要求されるパフォーマンスのレベルが異なる場合には、ＭＴのフリートを、まず異なるレベルを反映するクラスに分類し、続いてＭＡＣ−ＩＤを使用して各クラス内においてＭＴをグループ化することができる。
【００４３】
本発明の第３の実施態様によれば、図７に示したように、ウェイクアップ情報が、ＭＡＣフレーム７０６内のＢＣＣＨ  ７１０に続くＦＣＣＨ  ７１４内に位置決定されているウェイクアップＩＥを含み、ウェイクアップヘッダＩＥ  ７１２がＦＣＣＨ  ７１４のもっとも先頭に位置決定される。ウェイクアップＩＥは、ＦＣＣＨ  ７１４内のウェイクアップヘッダＩＥ  ７１２の直後に位置決定される。このウェイクアップヘッダＩＥ  ７１２は、ＭＡＣフレーム内のどこに（たとえばＭＡＣフレームのＤＬＣＨＡＮ内に）ＳＢＣＨが位置決定されているかを示す。つまり、ＭＴのＭＡＣ−ＩＤが、いずれのウェイクアップＩＥまたはＰＤＵにも含まれていない場合には、ＭＴは、最後のウェイクアップＩＥの分析を完了するまで、ＢＣＣＨおよびＦＣＣＨのモニタを行うだけでよく、その後ＭＴは、（ａ）ウェイク状態を続けることなく、あるいは（ｂ）スリープに戻った後に、ＳＢＣＨの内容を分析するために再びウェイクアップすることなく、スリープに戻ることができる。また、ウェイクアップヘッダＩＥ  ７１２には、その後のＦＣＣＨ  ７１４内のグループ化されているウェイクアップＩＥに関する情報、たとえばウェイクアップヘッダＩＥ  ７１２に続くウェイクアップＩＥの数を含ませることができる。ＭＴは、この情報を、ＭＡＣフレーム７０６の内容の監視を最終的に終了する時期の決定に役立てることができる。
【００４４】
図１２は、第３の実施態様に関して上述した原理の概略を示す。図１２に示されるように、ＭＴが、そのＢＣＣＨが保留データ標識を含むと決定すると、過程１２０２においてこのプロセスが開始する。過程１２０４においては、ＭＴがＦＣＣＨの先頭に位置決定されているウェイクアップヘッダＩＥを読み取る。制御は、過程１２０４から過程１２０６に進み、ＭＴが、ＦＣＣＨ内のウェイクアップヘッダＩＥに続くウェイクアップＩＥを読み取る。制御は、過程１２０６から過程１２０８に進み、ＭＴは、ＦＣＣＨ内のいずれかのウェイクアップＩＥが、そのＭＴと同じＭＡＣ−ＩＤを有するか、あるいはいずれも有していないかを決定する。いずれもそれを有していないときには、制御が過程１２１４に進み、ＭＴがスリープに戻り、制御が過程１２１６に移動してこのプロセスが終了する。いずれかがそれを有しているときには、制御が過程１２０８から過程１２１２に進み、ＭＴがアクティブ状態のままを維持することになる。その後制御は、過程１２１２から過程１２１６に進む。
【００４５】
本発明の第４の実施態様によれば、図８に示されるように、ＭＡＣフレーム８０６内のＢＣＣＨ  ８１０に続くＦＣＣＨ  ８１４の先頭に、ＳＢＣＨ−ＩＥ  ８１２が位置決定される。ウェイクアップＰＤＵは、存在する場合にはＳＢＣＨ  ８１８内に位置決定される。この実施態様においては、ＦＣＣＨ  ８１４がウェイクアップＩＥを含まない。ＳＢＣＨ−ＩＥ  ８１２は、ＭＡＣフレーム８０６のどこからＳＢＣＨ  ８１８が開始するかということ、たとえば位置８１６から開始することを示す。したがって、ＭＴは、ＳＢＣＨ−ＩＥ  ８１２を分析した直後にスリープに入り、ＦＣＣＨ  ８１４の残りの間に消費される余剰の電力消費を回避することが可能であり、その後、ＳＢＣＨが開始する位置８１６においてウェイクアップし、ＳＢＣＨの内容をモニタして、ＳＢＣＨ  ８１８内に位置決定されているいずれかのウェイクアップＰＤＵが、そのＭＴに意図されているか否かを決定することができる。たとえば、ＭＴは、ＳＢＣＨ  ８１８内に、そのＭＴのＭＡＣ−ＩＤに一致するＭＡＣ−ＩＤを有しているウェイクアップＰＤＵがあるか否かを決定する。ＳＢＣＨ  ８１８内のウェイクアップＰＤＵを、ＳＢＣＨ  ８１８の先頭に、あるいはその近傍にグループ化することもできる。
【００４６】
図１３は、第４の実施態様に関して上述した原理の概略を示す。図１３に示されるように、ＭＴが、そのＢＣＣＨが保留データ標識を含むと決定すると、過程１３０２においてこのプロセスが開始する。制御は、過程１３０２から過程１３０４に進み、ＭＴが、ＦＣＣＨの先頭のＳＢＣＨ−ＩＥを読み取る。さらに制御は、過程１３０４から過程１３０８に進み、ＭＴがスリープに入り、ＳＢＣＨ−ＩＥからの情報を使用してＳＢＣＨの開始時にウェイクアップする。制御は、過程１３０８から過程１３１０に進み、ＭＴが、ＳＢＣＨを読み取り、ＳＢＣＨ内にそのＭＴと同じＭＡＣ−ＩＤを有するウェイクアップＰＤＵがあるか否かを決定する。それがある場合には、制御が過程１３１０から過程１３１２に進み、その結果、ＭＴがウェイク状態を維持することになる。制御は、過程１３１２から過程１３１６に進み、このプロセスが終了する。過程１３１０において、ＭＴが、ＳＢＣＨ内にそのＭＴと同じＭＡＣ−ＩＤを有するウェイクアップＰＤＵはないと決定すると、制御が過程１３１０から過程１３１４に進み、ＭＴがスリープに戻り、制御が過程１３１４から過程１３１６に進む。
【００４７】
本発明の第５の実施態様によれば、ＡＰに、それが特に注目すべきであると決定したＩＥをＦＣＣＨ内のＳＢＣＨ−ＩＥの手前に置かせ、すべてのＭＴがこの特別な注目ＩＥを調べることを保証することによって、図７および８に示した実施態様を、さらに洗練された形にすることができる。たとえば、図７に示したように、ＦＣＣＨ内にウェイクアップＩＥが位置決定される場合においては、ウェイクアップヘッダＩＥの直後に、あるいはそのほかの特別な注目ＩＥの直後にＳＢＣＨ−ＩＥを位置決定することができる。
【００４８】
本発明の第６の実施態様によれば、ＦＣＣＨ内のウェイクアップＩＥもしくはＳＢＣＨ内のウェイクアップＰＤＵを、ＭＡＣ−ＩＤにより順序設定または整理することが可能であり、ＭＴに対し、そのシーケンスの監視によって、シーケンスの残りからそのＭＴのＭＡＣ−ＩＤが除外されるか否かの判断、つまりシーケンスの残りの監視を行わずにスリープに入れるか否かの判断ができるようにする。たとえば、ＭＡＣ−ＩＤが昇順に並ぶようにウェイクアップＩＥまたはＰＤＵを系統化する場合には、ＭＴが現在監視を行っているウェイクアップＩＥがそのＭＴのＭＡＣ−ＩＤより大きなＭＡＣ−ＩＤを有していれば、そのＭＴは、残りのウェイクアップＩＥの中にそのＭＴと同じＭＡＣ−ＩＤを有するものはなく、したがってそれらの監視を行わずにスリープに入ることが可能であると判断することができる。ＭＴは、第１と第２のウェイクアップＩＥまたはＰＤＵのＭＡＣ−ＩＤを比較することによって、シーケンスが昇順であるか、降順であるかを判断することができる。それに加えて、本発明のさらに別の実施態様によれば、ＭＴが遭遇するシーケンスを、昇順と降順が交番した形とすることが可能であり、それによって各種のＭＡＣ−ＩＤを有するＭＴが、時間に関して互いに公平に扱われることを保証する。たとえば、大きな値のＭＡＣ−ＩＤを有するＭＴは、最初はシーケンスのエンド近くになるが、その次の回には、シーケンスの先頭近くになる。
【００４９】
本発明の第７の実施態様によれば、ＭＡＣ−ＩＤ番号によって順序設定されたウェイクアップＩＥまたはＰＤＵを使用し、復号化誤りがあり、ウェイクアップＩＥまたはＰＤＵのシーケンスが開始した後にＭＴがＭＡＣフレームの監視を開始するといった場合に、ＭＴが何をするべきかについての補助を行うことができる。たとえば、シーケンスが昇順であり、そのＭＴのＭＡＣ−ＩＤが現在のウェイクアップＩＥまたはＰＤＵのＭＡＣ−ＩＤより小さい場合には、そのＭＴは、そのＭＡＣ−ＩＤを有し、それに対して意図されたウェイクアップＩＥまたはＰＤＵを看過した可能性があると判断し、適切な動作をとることができる。シーケンスが昇順であり、そのＭＴのＭＡＣ−ＩＤが現在のウェイクアップＩＥまたはＰＤＵのＭＡＣ−ＩＤより大きい場合には、それが看過したウェイクアップＩＥまたはＰＤＵが、そのＭＴのＭＡＣ−ＩＤを含んでいなかったことがわかるので、復号化誤りがなかった場合とまったく同様にＭＡＣフレームの監視を継続することができる。またたとえば、シーケンスが降順であり、現在のウェイクアップＩＥまたはＰＤＵのＭＡＣ−ＩＤがそのＭＴのＭＡＣ−ＩＤより大きい場合には、ＭＴは、それが看過したウェイクアップＩＥまたはＰＤＵにそのＭＴのＭＡＣ−ＩＤが含まれていなかったことがわかる。
【００５０】
図１４は、第６および第７の実施態様に関して説明した原理の概略を示す。図１４に示されるように、プロセスが過程１４０２において開始すると、過程１４０４に進み、ＦＣＣＨ内の最初のウェイクアップＩＥ、またはＳＢＣＨ内の最初のウェイクアップＰＤＵが読み取られる。制御は、過程１４０４から過程１４０６に進み、ＭＴが、最初のウェイクアップＩＥまたはウェイクアップＰＤＵが、そのＭＴと同じＭＡＣ−ＩＤを有しているか否かを決定する。それを有している場合には、制御が過程１４０６から過程１４１４に進み、ＭＴは、下り線データを適切に受け取る。
【００５１】
ウェイクアップ情報がＳＢＣＨ内に位置決定されたＰＤＵを含んでいる場合には、過程１４０４に先行してＭＴは、ＦＣＣＨ内のＳＢＣＨ−ＩＥを読み取った後に、可能であればスリープに入り、詳しくは前述したように、その後、ＳＢＣＨの開始時に再度ウェイクアップし、最初のウェイクアップＰＤＵを読み取る。ウェイクアップ情報がＦＣＣＨ内に位置決定されたウェイクアップＩＥを含む場合には、ＭＴは、詳細を前述した原理に従って、可能であれば過程１４０６と過程１４１４の間、あるいは過程１４１２と過程１４１４の間において、そのＭＴに割り当てられたＭＡＣフレーム内の下り線チャネルが到来するまでスリープに入ることができる。制御は、過程１４１４から過程１４２４に進み、このプロセスが終了する。
【００５２】
過程１４０６において、ＭＴによって、ＦＣＣＨ内の最初のウェイクアップＩＥまたはＳＢＣＨ内の最初のウェイクアップＰＤＵがそのＭＴと同じＭＡＣ−ＩＤを有していないと決定されると、制御が過程１４０６から過程１４０８に進み、ＭＴは、ＦＣＣＨ内の次のウェイクアップＩＥまたはＳＢＣＨ内の次のウェイクアップＰＤＵの読み取り、言い換えればその分析を行う。制御は、過程１４０８から過程１４０９に進み、ＭＴが、ＦＣＣＨ内のウェイクアップＩＥまたはＳＢＣＨ内のウェイクアップＰＤＵの読み取りの間に復号化誤りがあったか否かを決定する。それがあった場合には、制御が過程１４０９から過程１４０８に戻る。誤りがなければ、制御が過程１４０９から過程１４１０に進み、ウェイクアップＩＥまたはＰＤＵの順序が決定される。
【００５３】
制御は、過程１４１０から過程１４１２に進み、ＭＴが、現在の、すなわちＦＣＣＨから最後に読み取ったウェイクアップＩＥまたはＳＢＣＨから最後に読み取ったウェイクアップＰＤＵが、そのＭＴと同じＭＡＣ−ＩＤを有しているか否かを決定する。それを有している場合には、制御が過程１４１２から過程１４１４に進む。しかしながら、それを有していない場合には、制御が過程１４１２から過程１４１３に進み、ＭＴが、過程１４０８の間に復号化誤りがあった場合に、そのＭＴがデコーディングに失敗したウェイクアップＩＥまたはウェイクアップＰＤＵが、そのＭＴのＭＡＣ−ＩＤと同じＭＡＣ−ＩＤを有していた可能性についての有無を決定する。過程１４１３において、ＭＴが、そのＭＴがデコーディングに失敗したウェイクアップＩＥまたはウェイクアップＰＤＵは、そのＭＴのＭＡＣ−ＩＤと同じＭＡＣ−ＩＤを有していた可能性があると決定すると、制御が過程１４１３から過程１４１５に進み、ＭＴがアクティブ状態の維持を設定し、さらに制御が過程１４１５から過程１４２４に進み、プロセスが終了する。それに代えて、過程１４１３において、ＭＴが、そのＭＴがデコーディングに失敗したウェイクアップＩＥまたはウェイクアップＰＤＵは、そのＭＴのＭＡＣ−ＩＤと同じＭＡＣ−ＩＤを有していた可能性があると決定した場合に、制御が過程１４１３から過程１４２０に移り、そのＭＴをスリープに入らせることができる。制御は、その後過程１４２０から過程１４２４に進む。
【００５４】
過程１４１３において、ＭＴが、そのＭＴがデコーディングに失敗したウェイクアップＩＥまたはウェイクアップＰＤＵは、そのＭＴのＭＡＣ−ＩＤと同じＭＡＣ−ＩＤを有していた可能性がないと決定すると、制御が過程１４１３から過程１４１６に進み、ＭＴが、現在のウェイクアップＩＥまたはＰＤＵのＭＡＣ−ＩＤは、シーケンス内においてそのＭＴのＭＡＣ−ＩＤより後になるか否かを決定する。後にならない場合には、制御が過程１４１６から過程１４０８に戻る。後になる場合には、制御が過程１４１６から１４２０に進む。
【００５５】
本発明の第８の実施態様によれば、各ＭＴのスリープ持続時間またはスリープタイマが終了する特定のＭＡＣフレームをＡＰが認識している。これによりＡＰは、スリープがスケジュールされたＭＴに指向されるＭＡＣフレーム内に、ウェイクアップＩＥまたはＰＤＵを含ませることを回避できるようになり、ＭＡＣフレームを通じたウェイクを伴うことが回避できる。言い換えると、ＡＰは、ウェイク状態となる、あるいはＭＡＣフレームをモニタするためにウェイクアップすることがわかっているＭＴだけに関するウェイクアップＩＥまたはＰＤＵを含ませることが可能になる。これは、ウェイクアップＩＥまたはＰＤＵがＭＡＣ−ＩＤによって整理されていると、ＭＴが早期にスリープに入ることができない場合、あるいはウェイクアップＩＥまたはＰＤＵがＭＡＣ−ＩＤによって整理されていない場合に特に役立つ特徴である。つまり、第８の実施態様として、また図１５に概要を示すこの原理は、ウェイクアップ情報がＦＣＣＨ内に位置決定されるウェイクアップＩＥを含んでいる第１の状況、およびウェイクアップ情報がＳＢＣＨ内に位置決定されるウェイクアップＰＤＵを含んでいる第２の状況に適用することができる。
【００５６】
図１５は、第８の実施態様に関して上述した原理の概略を示す。図１５を参照すると、過程１５０２においてプロセスが開始し、その間にＡＰは、次に現れるＭＡＣフレームに囲い込むデータを準備する。過程１５０４においては、ＡＰが、どのＭＴがウェイクアップして次に現れるＭＡＣフレームのモニタを行うかを決定し、その後、過程１５０４においてＡＰは、次に現れるＭＡＣフレームに関して、それらのウェイクアップＩＥまたはＰＤＵだけ、つまり次に現れるＭＡＣフレームのモニタを行うためにウェイクアップする、保留されている下り線データを有するＭＴに対応するウェイクアップＩＥまたはＰＤＵだけを準備する。その後プロセスが、過程１５０４から過程１５０６に進み、終了する。
【００５７】
本発明の第９の実施態様によれば、たとえば図９に示すように、これにおいてはＳＢＣＨ内にウェイクアップＰＤＵが位置決定されているが、ＳＢＣＨ内のそのウェイクアップＰＤＵの手前にインデクスを備えることができる。このインデクスは、ウェイクアップＰＤＵのリスト内のどこに、ＭＴの特定のＭＡＣ−ＩＤを有するウェイクアップＰＤＵが現れる可能性があるかを示す。たとえば、このインデクスは、異なるＭＡＣ−ＩＤの範囲を示すことが可能であり、その結果ＭＴは、インデクスを分析した後にスリープに入り、そのＭＴのＭＡＣ−ＩＤが含まれている可能性のあるＰＤＵのＭＡＣ−ＩＤの範囲を包含するＳＢＣＨの部分を受信するときにウェイクアップすることができる。図９に示されるように、ＤＬＣＨＡＮ  ９１０内のＳＢＣＨ  ９１６の先頭９１２に、インデクス９１４が備えられており、それによって特定の範囲に含まれるＭＡＣ−ＩＤを有するウェイクアップＩＥまたはＰＤＵがＳＢＣＨ  ９１６内のどこにあるかということが示される。たとえば、０から３２までの間のＭＡＣ−ＩＤを有するウェイクアップＩＥまたはＰＤＵは、インデクス９１２の直後に位置決定され、それに対して６４から２５５までの間のＭＡＣ−ＩＤを有するウェイクアップＩＥまたはＰＤＵは、インデクス９１２のエンドから３２時間ユニットまたは３２バイト分の情報をオフセットしたところを開始位置として位置決定されている。オフセット値は、範囲内に実際に存在するウェイクアップＩＥまたはＰＤＵの数によって変化する可能性がある。たとえば、それぞれの範囲が同数のＭＡＣ−ＩＤを包含する状況においても、ＳＢＣＨ  ９１６内の各範囲内に表されるウェイクアップＩＥまたはＰＤＵが変化し得る。当然のことながら、可変の範囲を選択することもできる。
【００５８】
図１６は、第９の実施態様に関して上述した原理の概略を示す。図１６に示されるように、過程１６０２においてプロセスが開始し、ＭＴがＳＢＣＨの先頭に位置決定されているインデクスの読み取りおよび分析を行う。制御は、過程１６０２から１６０４に進み、ＭＴは、そのＭＴと同じＭＡＣ−ＩＤを有するウェイクアップＩＥまたはＰＤＵを含むＳＢＣＨの部分が到来するまでスリープに入る。制御は、過程１６０４から過程１６０６に進み、インデクスからの情報を用いて、ＭＴがＳＢＣＨの適切な部分の開始時にウェイクアップし、すでに説明した原理に従ってウェイクアップＩＥまたはＰＤＵの監視を行い、それらの中にそのＭＴと同じＭＡＣ−ＩＤを有するものが少なくとも１つ存在するか否かを決定し、それに応じた処理を進める。制御は、過程１６０６から過程１６１０に進み、このプロセスが終了する。
【００５９】
図１７は、本発明の一例として示した実施態様に基づくＡＰの例の内部の詳細を表している。より詳細を述べれば、ＡＰ  １７００は、スケジューラエンティティ１７０２およびスリープアナウンスメントエンティティ１７０４を含むことができる。
【００６０】
本発明の第１０の実施態様においては、ＭＴがウェイクアップしてＭＡＣフレームの監視を行うとき、そのＭＴが、データが保留されていることの表示、たとえばＭＡＣフレームのＢＣＣＨ内の表示を見つけると、そのＭＴは、データが保留されていることの表示に関して次のＭＡＣフレームの監視も行う。ＭＴは、現在のＭＡＣフレーム（データが保留されていることの表示を含むもの）が、そのＭＴ用のウェイクアップＩＥまたはＰＤＵを含んでいるか否かにかかわらずこれを行う。そのＭＴ用のウェイクアップＩＥまたはＰＤＵがなかった場合に、ＭＴは、現在のＭＡＣフレームの残りの間にわたってスリープに戻ることが可能であり、その後ウェイクアップして次のＭＡＣフレームの監視を行う。それに代えて、ＭＴは、次のＭＡＣフレームが到来するまでウェイク状態を維持することもできる。ＭＡＣフレームが、そのＭＴ用のウェイクアップＩＥまたはＰＤＵを含んでいるときは、そのＭＴが上記の各種実施態様において概説したように動作するが、その後ウェイク状態を維持するか、あるいはスリープに入った後、再度ウェイクアップして、次のＭＡＣフレームをモニタし、データが保留されているか否かに関して調べる。ＭＴは、保留されているデータはないという表示を伴う（またはデータが保留されているという表示を伴わない）ＭＡＣフレームが到来するまで、連続する各ＭＡＣフレームの監視を行うこのサイクルを繰り返す。これにより、システムの全体的な堅牢性を向上させる、ウェイクアップアナウンスメントに関するスケーラブルな帯域幅を考慮することができる。
【００６１】
これは、たとえば図１８を参照することによって理解することができる。図１８は、第１のＭＡＣフレーム１８０１から開始する、連続したＭＡＣフレーム１８０１〜１８１０を示す。この例においては、ＭＴが４×ＭＡＣフレームの通常スリープ持続時間を有し、したがってＭＡＣフレーム１８０１、１８０５および１８０９においてウェイクアップし、保留データ標識の有無に関してそのＢＣＣＨの監視を行うことになる。図１８に示されるように、ＭＡＣフレーム１８０５および１８０６の保留データ標識は、バイナリ「１」であり、これはＭＡＣフレーム１８０５および１８０６のＢＣＣＨ内の保留データ標識が、データが保留されていることを示すべくセットされていることを表している。残りのＭＡＣフレームにおいては、保留データ標識がバイナリ「０」であり、これは、これらのＭＡＣフレームのＢＣＣＨ内の保留データ標識が、保留されているデータがないことを示すべくセットされていることを表している。
【００６２】
図１８を参照すると、ＭＴは、ＭＡＣフレーム１８０１の監視を行うためにウェイクアップし、保留されたデータがないことがわかると、４×ＭＡＣフレームの通常スリープ持続時間にわたるスリープに戻る。ＭＴがＭＡＣフレーム１８０５の監視を行うためにウェイクアップすると、ＢＣＣＨ内において、データが保留されていることを示す表示に遭遇する。このとき、そのＭＴ用に意図されたウェイクアップＰＤＵが見つからなければ、スリープに戻る。しかしながら、ＭＡＣフレーム１８０５が、データが保留されていることを示す表示を含んでいたことから、ＭＴは、次のＭＡＣフレーム１８０６の監視を行うためにウェイクアップする。このフレーム１８０６もまた、データが保留されていることの表示を有するが、そのＭＴ用のウェイクアップＰＤＵを有していないことからＭＴはスリープに戻り、さらにその次のＭＡＣフレーム１８０７の監視を行うためにウェイクアップする。このＭＡＣフレーム１８０７は、保留されたデータがないことを示す表示を有していることから、ＭＴはスリープに戻り、通常スリープ持続時間が終了すると、ＭＡＣフレーム１８０９の監視を行うためにウェイクアップする。この例においては、通常スリープ持続時間が、最後の通常スリープ持続時間の終了からカウントされるため、通常スリープ持続時間のタイミングが保存される。これによって、たとえばこのＭＴが、指定された間隔でウェイクアップするスリープグループのメンバである場合、このＭＴがそのスリープグループとともにウェイクアップを継続することを保証することが可能になる。ＡＰは、当然のことながら、ＭＴの通常スリープ持続時間の変更、別のスリープグループに対するＭＴの再割り当て等を行うことができる。
【００６３】
図１９は、この手順の説明を補助するためのフローチャートである。図１９に示したプロセスは、図１０に示したものに類似であるが、過程１０１０が異なる。過程１０１０において、ＦＣＣＨがそのＭＴと同じＭＡＣ−ＩＤを有するウェイクアップＩＥ（またはＰＤＵ）を含んでいなければ、制御が過程１９０２に進み、ＭＴが、次のＭＡＣフレームまでのスリープに入る。制御は、過程１９０２から過程１００６に戻り、ＭＴが次のＭＡＣフレームの監視を行うためにウェイクアップする。それに代えて、ＭＴは、単純に次のＭＡＣフレームの監視を行うためにウェイク状態を維持するとしてもよく、その場合は、過程１０１０において「含まない」を得ると、制御が過程１００８に直接戻り、次の（つまり、この時点では現在の）ＭＡＣフレームのＢＣＣＨが調べられる。
【００６４】
当業者であれば理解されようが、現在のＭＡＣフレームが、データが保留されていることの表示を含むときには、必ず次のＭＡＣフレームの監視を行うというこのテクニックは、前述のほかの実施態様にも適切に適用することができる。たとえば、図１４においては過程１４１４の後および過程１４２０の後に、図１２においては過程１２１２および過程１２１４の後に、ＭＴがウェイクアップして（もしくは、スリープに戻らない場合にはそのままのウェイク状態で）データが保留されていることの表示に関して次のＭＡＣフレームの監視を行う。同じことを、たとえば図１３の過程１３１２および過程１３１４の後において適用することも可能である。
【００６５】
要約すると、これらの各種の実施態様は、多数の利点を提供する。たとえば、ＳＢＣＨではなくＦＣＣＨを使用してウェイクアップＩＥまたはＰＤＵ等のウェイクアップアナウンスメントを伝達することによって、ＭＴをウェイクアップする手順が簡素化され、ＭＴによる余剰の電力消費がさらに抑えられる。それに加えて、ＦＣＣＨを使用して、すでにウェイク状態またはアクティブ状態にあるＭＴに意図されるＩＥまたはＰＤＵと同じフォーマットを有するウェイクアップＩＥまたはＰＤＵを伝達することにより、ＡＰは、スリープ中およびアクティブのＭＴの両方に対して同一のスケジューリング手順を使用することが可能になり、それによってシステムがよりシンプルかつ堅牢になる。
【００６６】
ＦＣＣＨを使用してウェイクアップアナウンスメントをＭＴに伝達することによって、ＡＰは、ウェイクアップアナウンスメントがＳＢＣＨ内に位置決定される場合とは対照的に、追加の帯域幅を必要とすることなく、ＭＴを小さなスリープグループまたはフェーズグループに系統化することができる。さらに、ＦＣＣＨを使用したＭＴに対するウェイクアップアナウンスメントの伝達は、ウェイクアップアナウンスメントによってＭＴに、ＡＰに対する肯定応答信号の送信が求められる場合に、ＭＴが肯定応答信号を準備し、送信するための時間をより長くすることができる。
【００６７】
ＭＴのＭＡＣ−ＩＤの一部もしくは全部を使用し、ＭＴをフェーズまたはスリープグループにグループ化することによって、ＡＰは、スリープグルーピング機能をサポートするために必要な内部リソースの量を最小化することが可能になり、また平均のＭＴの消費電力をさらに下げることが可能になる。（ａ）ＦＣＣＨ内の初めの方にＳＢＣＨ−ＩＥを位置決定し、かつＦＣＣＨ内のＳＢＣＨ−ＩＥの直後にウェイクアップＩＥを整理する；（ｂ）ＭＡＣ−ＩＤによりウェイクアップＩＥまたはＰＤＵ（それぞれＦＣＣＨ内またはＳＢＣＨ内において）のソーティングを行うといった様々な方法によって、ＭＴの電力消費がさらに最小化され、かつ復号化誤りを処理するＭＴの手順もさらに効率的になる。ＳＢＣＨにインデクスを追加し、特定のＭＴがＢＣＣＨのモニタのためにウェイクアップする時期をＡＰに認識させれば、ＦＣＣＨ（および適切な場合にはＳＢＣＨ）が、ＭＴにおいて追加の省電力をもたらすことができる。
【００６８】
当業者であれば認識されようが、以上述べた特徴には、各種の組み合わせが可能である。
【００６９】
本件出願と同日に出願された、所有者を同じにする同時係属出願の「Ｍｏｂｉｌｅ  Ｔｅｒｍｉｎａｌ  Ｄｅｃｏｄｅ  Ｆａｉｌｕｒｅ  Ｐｒｏｃｅｄｕｒｅ  ｉｎ  ａ  Ｗｉｒｅｌｅｓｓ  Ｌｏｃａｌ  Ａｒｅａ  Ｎｅｔｗｏｒｋ（ローカルエリアネットワーク内の移動端末の復号化誤り手順）」（代理人文書番号第０４００００−５３０号）は、参照を通じて本件出願に取り込まれている。
【００７０】
当業者であれば認識されようが、上記の本件出願と所有者を同じにする同時係属出願は、本件出願に述べられている特徴ならびに実施態様と都合よく組み合わせることが可能である。Ｅｒｉｃｓｓｏｎ（エリクソン）文書番号第ＥＲＶＳ−９９０１３号、第ＥＲＶＳ−９９０２１号、および第ＥＲＶＳ−９９０２２号は、参照を通じて本件出願に取り込まれており、それぞれ付録Ａ、Ｂ、およびＣとして本件出願に添付されている。
【００７１】
提案されているＥＴＳＩ  ＨＩＰＥＲＬＡＮ（ＥＴＳＩハイパーラン）タイプ２標準の承認済みの部分は、参照を通じて本件出願に取り込まれており、付録Ｄとして本件出願に添付されている。
【００７２】
当業者であれば認識されようが、本発明は、その精神ないしは本質的な特徴から逸脱することなく別の特定の形で具体化することが可能であり、また本発明は、ここに述べた特定の実施態様に限定されることはない。したがって、ここに開示した実施態様は、すべてに関して限定ではなく例示を目的としたものと解釈される。本発明の範囲は、以上の説明ではなく、付随する特許請求の範囲によって示され、その意味ならびに範囲および等価物に含まれるすべての変更は、それに包含されることが意図されている。
【図面の簡単な説明】
【図１】  ＨＩＰＥＲＬＡＮ（ハイパーラン）タイプ２標準に基づくセル構造の一例を示す。
【図２】  ＨＩＰＥＲＬＡＮ（ハイパーラン）タイプ２標準に基づくＭＡＣフレームの一例を示す。
【図３】  ＨＩＰＥＲＬＡＮ（ハイパーラン）タイプ２標準に基づく、ＭＴとＡＰの間におけるスリープネゴシエーションダイアログの一例を示す。
【図４】  ＭＡＣフレームのＳＢＣＨ内に位置決定されるウェイクアップＰＤＵを包含することができるＭＡＣフレームの一例を示す。
【図５】  本発明の一例として示した実施態様に基づくＭＡＣフレームの例を示す。
【図６】  ＨＩＰＥＲＬＡＮ（ハイパーラン）タイプ２標準に基づく、異なるフェーズを有するＭＴのスリープグループを示す。
【図７】  本発明の一例として示した実施態様に基づくＭＡＣフレームの例を示す。
【図８】  本発明の一例として示した実施態様に基づくＭＡＣフレームの例を示す。
【図９】  本発明の一例として示した実施態様に基づくＭＡＣフレームの例の一部を示す。
【図１０】  本発明の一例として示した実施態様に基づくプロセスのフローチャートを示す。
【図１１】  本発明の一例として示した実施態様に基づくプロセスのフローチャートを示す。
【図１２】  本発明の一例として示した実施態様に基づくプロセスのフローチャートを示す。
【図１３】  本発明の一例として示した実施態様に基づくプロセスのフローチャートを示す。
【図１４】  本発明の一例として示した実施態様に基づくプロセスのフローチャートを示す。
【図１５】  本発明の一例として示した実施態様に基づくプロセスのフローチャートを示す。
【図１６】  本発明の一例として示した実施態様に基づくプロセスのフローチャートを示す。
【図１７】  本発明の一例として示した実施態様に基づくＡＰの例の内部の詳細を示す。
【図１８】  本発明の一例として示した実施態様に基づくプロセスを示しており、データ保留の表示によってＭＴが次のＭＡＣフレームのモニタも行う。
【図１９】  図１８に示したプロセスの一例として示したフローチャートを示す。
【図１】
0004582743.tif 000002
【図２】
0004582743.tif 000003
【図３】
0004582743.tif 000004
【図４】
0004582743.tif 000005
【図５】
0004582743.tif 000006
【図６】
0004582743.tif 000007
【図７】
0004582743.tif 000008
【図８】
0004582743.tif 000009
【図９】
0004582743.tif 000010
【図１０】
0004582743.tif 000011
【図１１】
0004582743.tif 000012
【図１２】
0004582743.tif 000013
【図１３】
0004582743.tif 000014
【図１４】
0004582743.tif 000015
【図１５】
0004582743.tif 000016
【図１６】
0004582743.tif 000017
【図１７】
0004582743.tif 000018
【図１８】
0004582743.tif 000019
【図１９】
0004582743.tif 000020